(57)【要約】      （修正有）【課題】気体噴出口を変えるにあたって従来のようにカバーキャップを別途に用意することなく、また着脱することなく、気体の噴出方向を簡易に変える。【解決手段】携帯用気体発生装置Ａにおいて、気体噴出口として、ケーシング１０の上部側壁部に側部噴出口５７を設けるとともに蓋体に上部噴出口を設け、このケーシングの上部にカバーキャップ６０を側部噴出口及び上部噴出口を覆う状態で回転可能に外嵌めし、カバーキャップの側壁部に側部通気孔６１を設けるとともにカバーキャップの底部に上部通気孔６２を設け、前記カバーキャップを回転させることによって側部通気孔が側部噴出口と一致した状態と上部通気孔が前記上部噴出口と一致した状態とを選択可能とした。【選択図】図１
2013231566.tif 000002
【特許請求の範囲】
【請求項１】
有底円筒体の上部開口を蓋体で覆った円筒ケーシングとこのケーシング内に設置された気体供給手段とを有し、前記ケーシングの上部に気体噴出口を設け、前記気体供給手段によって供給された気体をこの噴出口から前記ケーシング外に噴出させる携帯用気体発生装置において、
前記気体噴出口として、前記ケーシングの上部側壁部に側部噴出口を設けるとともに前記蓋体に上部噴出口を設け、このケーシングの上部にカバーキャップを前記側部噴出口及び前記上部噴出口を覆う状態で回転可能に外嵌めし、前記カバーキャップの側壁部に側部通気孔を設けるとともに前記カバーキャップの底部に上部通気孔を設け、前記カバーキャップを回転させることによって前記側部通気孔が前記側部噴出口と一致した状態と前記上部通気孔が前記上部噴出口と一致した状態とを選択可能としたことを特徴とする携帯用気体発生装置。
【請求項２】
前記気体供給手段がオゾン発生手段とこのオゾン発生手段によって発生したオゾンガスを流動させる送風手段とからなり、前記気体噴出口がオゾン噴出口であることを特徴とする請求項１の携帯用気体発生装置。
【請求項３】
前記カバーキャップを、前記側部通気孔が前記側部噴出口と一致した状態及び前記上部通気孔が前記上部噴出口と一致した状態において各々ロック可能としたことを特徴とする請求項１又は請求項２の携帯用気体発生装置。
【請求項４】
前記ケーシングにおいて、前記側部噴出口と前記上部噴出口とが、回転中心から同方向に位置していることを特徴とする請求項１、請求項２又は請求項３の携帯用気体発生装置。
【請求項５】
前記円筒ケーシングの下部外壁面に所要数の周突条が形成されていることを特徴とする請求項１、請求項２、請求項３又は請求項４の携帯用気体発生装置。
【発明の詳細な説明】
【技術分野】
【０００１】
この発明は携帯用気体発生装置に関し、主として、車両のカップホルダー等に設置され、オゾンガス、イオンを発生することによって車内の空気を清浄化する場合に使用される。
【背景技術】
【０００２】
従来におけるこの種の気体発生装置としてイオン発生装置が存在する。
【０００３】
このイオン発生装置は、円筒ケーシング内にイオン発生手段と送風手段とを設置したものであり、前記ケーシングの上部側壁部におけるイオン噴出口から、前記イオン発生手段によって発生したイオンを前記送風手段によって略上方方向に向かって噴出させていた。
【０００４】
そして、水平に噴出させたい場合には、この噴出口にカバーキャップを被せ、このカバーキャップの底部に形成された通気孔を介して水平に噴出させるようにしていた。
【０００５】
【特許文献１】特開平１０−１５２３０７号公報
【発明の開示】
【発明が解決しようとする課題】
【０００６】
しかしながら、かかる従来の携帯用気体発生装置にあっては、前記カバーキャップの着脱によって噴出口を変えていたため、カバーキャップを別途に用意しなければならないともにカバーキャップを着脱しなければならず、この結果、イオンの噴出方向を変えるにあたって手間がかからざるを得ないという不都合を有した。
【０００７】
この発明の課題は前記不都合を解消することである。
【課題を解決するための手段】
【０００８】
この課題を達成するために、この発明に係る携帯用気体発生装置においては、有底円筒体の上部開口を蓋体で覆った円筒ケーシングとこのケーシング内に設置された気体供給手段とを有し、前記ケーシングの上部に気体噴出口を設け、前記気体供給手段によって供給された気体をこの噴出口から前記ケーシング外に噴出させる携帯用気体発生装置において、
前記気体噴出口として、前記ケーシングの上部側壁部に側部噴出口を設けるとともに前記蓋体に上部噴出口を設け、このケーシングの上部にカバーキャップを前記側部噴出口及び前記上部噴出口を覆う状態で回転可能に外嵌めし、前記カバーキャップの側壁部に側部通気孔を設けるとともに前記カバーキャップの底部に上部通気孔を設け、前記カバーキャップを回転させることによって前記側部通気孔が前記側部噴出口と一致した状態と前記上部通気孔が前記上部噴出口と一致した状態とを選択可能としたものである。
【０００９】
この場合、前記気体供給手段をオゾン発生手段とこのオゾン発生手段によって発生したオゾンガスを流動させる送風手段とから構成し、前記気体噴出口をオゾン噴出口にすることができる。
【００１０】
また、前記カバーキャップを、前記側部通気孔が前記側部噴出口と一致した状態及び前記上部通気孔が前記上部噴出口と一致した状態において各々ロック可能とすることができる。
【００１１】
また、前記ケーシングにおいて、前記側部噴出口と前記上部噴出口とが、回転中心から同方向に位置することができる。
【００１２】
さらに、前記円筒ケーシングの下部外壁面に所要数の周突条を形成することもできる。
【発明の効果】
【００１３】
この発明に係る携帯用気体発生装置は上記のように構成されているため、即ち有底円筒体の上部開口を蓋体で覆った円筒ケーシングとこのケーシング内に設置された気体供給手段とを有し、前記ケーシングの上部に気体噴出口を設け、前記気体供給手段によって供給された気体をこの噴出口から前記ケーシング外に噴出させる携帯用気体発生装置において、
前記気体噴出口として、前記ケーシングの上部側壁部に側部噴出口を設けるとともに前記蓋体に上部噴出口を設け、このケーシングの上部にカバーキャップを前記側部噴出口及び前記上部噴出口を覆う状態で回転可能に外嵌めし、前記カバーキャップの側壁部に側部通気孔を設けるとともに前記カバーキャップの底部に上部通気孔を設け、前記カバーキャップを回転させることによって前記側部通気孔が前記側部噴出口と一致した状態と前記上部通気孔が前記上部噴出口と一致した状態とを選択可能としたため、
前記ケーシングに対して前記カバーキャップを回転し、前記側部通気孔と前記側部噴出口とが一致した状態又は前記上部通気孔と前記上部噴出口とが一致した状態の何れかを選択することによって、気体の噴出方向を変えることができる。
【００１４】
よって、この携帯用気体発生装置を使用すれば、気体噴出口を変えるにあたって従来のようにカバーキャップを別途に用意する必要がないとともに着脱する必要がないため、気体の噴出方向を簡易に変えることができるものである。
【００１５】
この場合、前記気体供給手段をオゾン発生手段とこのオゾン発生手段によって発生したオゾンガスを流動させる送風手段とから構成し、前記気体噴出口をオゾン噴出口にすれば、オゾンガス発生装置として使用することができる。
【００１６】
また、前記カバーキャップを、前記側部通気孔が前記側部噴出口と一致した状態及び前記上部通気孔が前記上部噴出口と一致した状態において各々ロック可能とすれば、気体（オゾンガス）の水平方向への噴出状態及び上部方向への噴出状態を安定化させることができる。
【００１７】
また、前記ケーシングにおいて、前記側部噴出口と前記上部噴出口とを、回転中心から同方向に位置させるようにすれば、噴出方向は変わっても噴出口は常に近傍に位置し、携帯用オゾン発生装置を載置するにあたって位置決めしやすいものである。
【００１８】
さらに、前記円筒ケーシングの下部外壁面に所要数の周突条を形成すれば、持ちやすいとともに噴出口から流出し、前記ケーシングの外壁面に沿って流れ落ちる気体（オゾンガス）がこの周突条に衝突しスカート状に拡散されやすいものである。
【発明を実施するための最良の形態】
【００１９】
この発明に係る「携帯用気体発生装置」において、「気体」には「オゾンガス」、「イオン」等全ての気体が該当する。
【００２０】
「オゾン発生手段」には高電圧でオゾンを発生させる通常のオゾン発生機が該当し、また、「送風手段」にはファンを回転させて強制送風させる通常の送風機等が該当する。
【００２１】
「カバーキャップ」は樹脂製の有底円筒状をしており、前記ケーシングの上部に回転可能に外嵌めするものである。
【００２２】
この「カバーキャップ」はクリック的にロックされる。
「ケーシング」において、「側部噴出口」と「上部噴出口」とが、回転中心（カバーキャップの）から同方向に位置している。
【００２３】
「円筒ケーシング」の下部は上部よりも小径であり、「周突条」はこの小径部に一体形成することが望ましい。
【実施例１】
【００２４】
以下、図面に基づいてこの発明の実施例として携帯用オゾンガス発生装置を採用し以下説明する。
【００２５】
図１はこの発明に係る携帯用気体発生装置の側部噴出口を開放した状態の正面斜視図、図２は同状態の平面図、図３は図２におけるIII−III線断面図、図４は同状態の蓋体の裏面斜視図、図５は上部噴出口を開放した状態の側面斜視図、図６は同状態の平面図、図７は同状態における蓋体の裏面斜視図、図８は蓋体及び補助カバーを取り外した状態の後方斜視図である。
【００２６】
図１〜図４及び図８に基づいて、この携帯用オゾンガス発生装置の側部噴出口が開放された状態を説明する。
【００２７】
図において、Aは携帯用オゾンガス発生装置（この発明の「携帯用気体発生装置」に相当する）であり、１０はその円筒ケーシングである。このケーシング１０は樹脂製であり、有底円筒体１１とこの蓋体１２とから構成される。この有底円筒体１１とこの有底円筒体１１の上部開口１２を覆う蓋体１２とから構成される。
【００２８】
１３は仕切壁であり、前記有底円筒体１１に一体形成されている。この仕切壁１３は垂直方向に延びている。１４は湾曲壁であり、前記仕切壁１３の下部を外側に凸状湾曲させたものである。この湾曲壁１４には吸気孔１５，１５，…が形成されている。なお、前記仕切壁１３によって前記有底円筒体１１の外壁面及び底面の一部構成されている。
【００２９】
１６は補助カバーであり、前記仕切壁１３を覆うように着脱可能に設置されている。この補助カバー１６によって前記有底円筒体１１の外壁面が構成され、下部は格子窓１７になっている。
【００３０】
２０は取付部材であり、前記ケーシング10内に着脱可能に配置されている。２１は送風機室であり、前記取付部材２０の下部に形成されている。この送風機室２１は前記湾曲壁１４の内側に位置している。３０は送風機であり、前記送風機室２１に設置されている。この送風機３０は電動機（図示せず）によって作動し、前記補助カバー１６の前記格子窓１７及び前記仕切壁１３の前記吸気孔１５，１５，…を介して吸気し、排気口３１から強制送風する。
【００３１】
２２は送風通路であり、前記取付部材２０に一体形成されている。この送風通路２２は上下方向に延び、下端開口２３は前記送風機３０の排気口３１に繋がっている。なお、２４は前記送風通路２２の上端開口であり、前記有底円筒体１１の上部開口１２より僅かに突出している。
【００３２】
２５はオゾン発生機取付枠であり、前記取付部材２０に一体形成されている。このオゾン発生機取付枠２５は前記送風通路２２の途中に開口している。４０はオゾン発生機であり、前記オゾン発生機取付枠２５に着脱可能に内嵌めされている。このオゾン発生機４０は高電圧によってオゾンガスを発生し、前記送風通路２２に放出する。このオゾンガスは送風によって前記送風通路２２の上端開口２４に向かって流れる。
【００３３】
５０は補助リングであり、前記蓋体１２はこの補助リング５０を介して前記前記円筒ケーシング１０の上部開口１２に設置されている。
【００３４】
前記蓋体１２は有底円筒状であり、その底面に係止片５１が突設されている。この係止片５１は係止孔５２を有する。また、１８は固定片であり、前記円筒ケーシング１０の上部開口１２端の内壁面に突出している。この固定片１８に前記係止片５１係止孔５２を外嵌めすることによって前記蓋体１２は回転不可能となる。５３，５３は取付片であり、前記蓋体１２の底面に突設されている。図示はしないが、前記蓋体１２はこの取付片５３，５３を介して前記取付部材２０にビス止めされている。５４は押圧スイッチ（押すことによってON，OFFする）であり、前記蓋体１２の頂面に固定されている。また、５５はこのスイッチ５４の電子制御基盤であり、スペーサ５６を介して前記蓋体１２の頂面の裏側に固定されている。る。
【００３５】
５７は側部噴出口であり、前記蓋体１２の側壁部に切り欠き状に形成されている。５８，５８は係止凹部であり、前記前記側部噴出口５７の側辺（回転方向の）に形成されている。この
係止凹部５８，５８の機能は後記する。また、５９は格子状の上部噴出口であり、前記蓋体１２の底面に格子状に形成されている。これらの側部噴出口５７と上部噴出口５９は前記蓋体１２の前面側において隣り合うように、後記カバーキャップ６０の回転中心から同方向に位置している。
【００３６】
６０はカバーキャップであり、前記蓋体１２に回転可能に外嵌めされている。このカバーキャップ６０は前記蓋体１２の側部噴出口５７と上部噴出口５９を覆っている。６１は側部通気孔であり、前記カバーキャップ６０の側壁部に形成されている。また、６２は上部通気孔であり、前記カバーキャップ６０底部に形成されている。これらの側部通気孔６１と上部通気孔６２とは後記カバーキャップ６０の回転方向に沿ってずれた状態で位置している（図１及び図５参照のこと）。前記カバーキャップ６０を回転させることによって前記側部通気孔６１が前記側部噴出口５７と一致した状態と前記上部通気孔６２が前記上部噴出口５９と一致した状態とを選択することができる。なお、図１〜図４の状態は、前記側部通気孔６１が前記側部噴出口５７と一致するとともに前記上部噴出５９がカバーキャップ６０によって覆われ、前記側部噴出口５７のみが開放された状態を示している。この状態で、オゾンガスを発生させれば、オゾンガスはこの側部噴出口５７を介して、前記携帯用オゾンガス発生装置Aの水平方向に向かって噴射される。
【００３７】
６３は係止突起であり、前記カバーキャップ６０の内壁面に突設されている。この係止突起６３は前記側部通気孔６１の両側に位置しており、前記カバーキャップ６０を回転させ、この係止突起６３を前記係止凹部５８，５８に選択的に弾力的に侵入挟持させることによって、前記側部通気孔６１が前記側部噴出口５７と一致した状態と前記上部通気孔６２が前記上部噴出口５９と一致した状態とをクリック的に選択固定することができる。また、この係止突起６３は前記カバーキャップ６０を前記蓋体１２に弾性的に外嵌めした際に抜け止めにもなっている。なお、図示はしないが、前記カバーキャップ６０の内壁面における前記側部通気孔６１の対向壁に、この側部通気孔６１と同形状のスライド孔６４が設けられるとともにその両側に前記係止突起６３と同形状の突起が同様に設けられ、前記係止突起６３とともに前記カバーキャップ６０を前記蓋体１２に弾性的に外嵌めした際の抜け止めを図っている。
【００３８】
次に、図５〜図８に基づいて、この携帯用オゾンガス発生装置の上部噴出口が開放された状態を説明する。
【００３９】
図１〜図４の状態において、を前記蓋体１２に対して前記カバーキャップ６０を略９０度反時計方向（図２において）に回転させる。すると、前記上部通気孔６２が前記上部噴出口５９と一致するとともに前記側部噴出口５７は前記カバーキャップ６０によって覆われ、前記上部噴出口５７のみが開放された状態となる。この状態で、オゾンガスを発生させれば、オゾンガスはこの上部噴出口５９を介して、前記携帯用オゾンガス発生装置Aの上方に向かって噴射される。なお、この状態では、図７に示すように、前記カバーキャップ６０の係止突起６３は、反対側（図３の状態と）の前記係止凹部５８に弾力的に侵入し挟持される。
【００４０】
７０，７０，…は周突条であり、前記円筒ケーシング１１の下部外壁面に形成されている。このように周突条７０，７０，…が形成されていると前記携帯用オゾンガス発生装置Aを持った際に滑り止めとなるとともに前記側部噴出口５７又は前記上部噴出口５９から流出し、前記ケーシング１０の外壁面に沿って流れ落ちるオゾンガス（気体）がこの周突条７０，７０，…に衝突しスカート状に拡散されやすいものである。
【００４１】
なお、この携帯用オゾンガス発生装置Aの電源としては、車両のシガーライターを利用するものであるが、通常のバッテリー、乾電池等如何なるものを用いることもできる。
【産業上の利用可能性】
【００４２】
この発明に係る携帯用気体発生装置は、ケーシングに対して前記カバーキャップを回転し、前記側部通気孔と前記側部噴出口とが一致した状態又は前記上部通気孔と前記上部噴出口とが一致した状態の何れかを選択することによって、気体の噴出方向を変えることができる。気体噴出口を変えるにあたって従来のようにカバーキャップを別途に用意する必要がないとともに着脱する必要がないため、気体の噴出方向を簡易に変えることができる。よって、利用可能性は極めて高いものである。
【図面の簡単な説明】
【００４３】
【図１】図１はこの発明に係る携帯用気体発生装置の側部噴出口を開放した状態の正面斜視図である。
【図２】図２は同状態の平面図である。
【図３】図３は図２におけるIII−III線断面図である。
【図４】図４は同状態の蓋体の裏面斜視図である。
【図５】図５は上部噴出口を開放した状態の側面斜視図である。
【図６】図６は同状態の平面図である。
【図７】図７は同状態における蓋体の裏面斜視図である。
【図８】図８は蓋体及び補助カバーを取り外した状態の後方斜視図である。
【符号の説明】
【００４４】
A  …  携帯用オゾンガス発生装置（携帯用気体発生装置）  
１０  …  円筒ケーシング
１１  …  有底円筒体
１２  …  蓋体
１３  …  仕切壁
１４  …  湾曲壁
１５  …  吸気孔
１６  …  補助カバー
１７  …  格子窓
２０  …  取付部材
２１  …  送風機室
２２  …  送風通路
２３  …  下端開口
２４  …  送風通路
２５  …  オゾン発生機取付枠
３０  …  送風機
３１  …  排気口
４０  …  オゾン発生機
５０  …  補助リング
５１  …  係止片
５２  …  係止孔
５３  …  取付片
５４  …  押圧スイッチ
５５  …  電子制御基盤
５７  …  側部噴出口
５８  …  係止凹部
５９  …  上部噴出口
６０  …  カバーキャップ
６１  …  側部通気孔
６２  …  上部通気孔
６３  …  係止突起
７０  …  周突条
【図１】
2013231566.tif 000003
【図２】
2013231566.tif 000004
【図３】
2013231566.tif 000005
【図４】
2013231566.tif 000006
【図５】
2013231566.tif 000007
【図６】
2013231566.tif 000008
【図７】
2013231566.tif 000009
【図８】
2013231566.tif 000010